(57)【要約】【課題】ガラス窓の室内側に合成樹脂板を固定し、断熱性を付与する試みは従来よりなされているが、ガラス板と合成樹脂板とでは熱膨張率が異り、ガラス板に固定されている合成樹脂板が熱膨張したときの有効な対策は見当らず、熱膨張率の相違により、合成樹脂板が歪んだり、損傷し、あるいはガラス板から脱落し、断熱性を損なうことがあった。【構成】窓枠１に嵌め込まれ、室内側周縁に帯状に面ファスナー３が貼付されたガラス板２に、周縁に帯状に面ファスナー３が貼付された合成樹脂板４を、前記面ファスナー３，３同士を係合させることにより、ガラス板２の室内側全面を覆う様に着脱自在に取付けた。【選択図】  図３
2004353245.tif 000002
【特許請求の範囲】
【請求項１】
窓枠１に嵌め込まれ、室内側周縁に帯状に面ファスナー３が貼付されたガラス板２に、周縁に帯状に面ファスナー３が貼付された合成樹脂板４を、前記面ファスナー３，３同士を係合させることにより、ガラス板２の室内側全面を覆う様に着脱自在に取付けたことを特徴とする複合断熱ガラス窓。
【請求項２】
合成樹脂板４がポリカーボネート製であることを特徴とする請求項１記載の複合断熱ガラス窓。
【請求項３】
ガラス板２と合成樹脂板４との間の空隙の適当箇所に面ファスナー製のスペーサー５を介在させたことを特徴とする請求項１記載の複合断熱ガラス窓。
【請求項４】
合成樹脂板４がポリカーボネート製単板であることを特徴とする請求項２記載の複合断熱ガラス窓。
【請求項５】
合成樹脂板４がポリカーボネート製中空多層板であることを特徴とする請求項２記載の複合断熱ガラス窓。
【発明の詳細な説明】
【０００１】
【産業上の利用分野】
この発明は複合断熱ガラス窓、詳しくはガラス板と合成樹脂板との二重構造からなる断熱性にすぐれた複合ガラス窓に関するものである。
【０００２】
【従来の技術】
近年、省エネルギーの考え方が広く普及しており、住宅、事務所、店舗等各種建築物の断熱性向上に対する要求も年々高まっている。屋根、壁、床などと共に、窓部分における断熱処理が建築物全体の断熱性向上に不可欠であることは明らかであり、窓部分の断熱性を向上させる為の試みも従来より多くなされている。
【０００３】
【発明が解決しようとする課題】
中空複層ガラス板を窓枠に嵌め込んだり、ガラス窓全体を二重にすれば、断熱性が飛躍的に向上することは明らかであるが、これらはコストがかかり、簡単に採用することは出来なかった。即ち、中空複層ガラス板は生産工場においてそのサイズが決定されており、単層ガラス板の様に、施工現場において窓枠の寸法に合せて自由に切断することは実際上不可能であり、施工の為のコストも安くはなかった。又、普通のガラス板が嵌め込まれている既存のガラス窓を中空複層ガラス板に変更することは、厚さや寸法の点からほとんど不可能であった。一方、ガラス窓自体を二重にすることは北海道など寒冷地域において昔から行われているが、窓枠自体を変えねばならず、大変コストがかかる上に、改造も容易ではなく、到底手軽に実施できる断熱対策とは言えなかった。
【０００４】
一方、窓ガラスの内側、つまり室内側に一定の間隔を隔てて合成樹脂板を取付ける試みもなされている。合成樹脂板は一般的に断熱性にすぐれており、軽量、安価で加工が容易という長所があり、これを窓ガラスの内側に固定すれば比較的容易に断熱性を確保することが出来るが、この試みには重大な問題点が存在していた。即ち、合成樹脂板はガラス板より熱膨張率が大きい為、接着剤や両面接着テープなどによってガラス板に固定した場合、雰囲気温度の変化によって大きく歪み、接着箇所がはがれたり、割れたりして、短期間で使用出来なくなってしまうことが多かった。ゴム磁石によって合成樹脂板をガラス板に固定する試みもなされたが、この場合には熱膨張率の違いを磁石のズレによって逃すことが可能であり、この点に関しては接着剤や両面接着テープを用いるものよりすぐれているが、ゴム磁石は接着力が弱く、又ある程度の厚みを必要とし、重量もあり、手軽に窓ガラスに装着しにくいという欠点があった。
【０００５】
本発明者は数々の長所を有する合成樹脂板により、窓ガラスの断熱処理を行うべく研究を行った結果、最大の問題点であるガラス板との熱膨張率の違いを克服できた複合断熱ガラス窓を開発することに成功し、本発明としてここに提案するものである。
【０００６】
【課題を解決するための手段】
窓枠１に嵌め込まれ、室内側周縁に帯状に面ファスナー３が貼付されたガラス板２に、周縁に帯状に面ファスナー３が貼付された合成樹脂板４を、前記面ファスナー３，３同士を係合させることにより、ガラス板２の室内側全面を覆う様に着脱自在に取付ることにより、上記課題を解決した。
【０００７】
【実施の形態】
図１はこの発明に係る複合断熱ガラス窓の一実施形態の正面図、図２は合成樹脂板４の一部を切欠いて描いたその正面図、図３は同じくその斜視図、図４は図１における矢視Ａ−Ａ線拡大断面図、図５は同じく合成樹脂板４を固定する前の状態の矢視Ａ−Ａ線拡大断面図である。図中１は窓枠であり、この窓枠１にはガラス板２が嵌め込まれており、ガラス板２の室内側周縁には帯状をなした面ファスナー３が額縁状に貼付されている。面ファスナー３とはマジックテープ（商品名）などの名称で販売されている固定具であり、図６に示す様に、基部８から植設された無数のフック６とループ７との係合作用によって二物品の結合固定を行う資材である。
【０００８】
一方、４は合成樹脂板であり、窓枠１に嵌め込まれたガラス板２の室内側内寸よりわずかに小さい外寸を有しており、その周縁には帯状をなした面ファスナー２が額縁状に貼付されている。なお、ガラス板２側の面ファスナー３がフックタイプのものの場合には、合成樹脂板４側の面ファスナー３はループタイプ、逆にガラス板２側の面ファスナー３がループタイプの場合には、合成樹脂側の面ファスナー３はフックタイプのものを用いる。
【０００９】
合成樹脂板４としてはポリカーボネート板が望ましい。ポリカーボネート樹脂は耐熱性、耐衝撃性、耐候性にすぐれ、しかも軽量であり、加工成形が容易であるので、本発明において用いる合成樹脂板４として最も好ましいからである。この様に、面ファスナー３がその周縁に額縁状に貼付された合成樹脂板４は、面ファスナー３，３を係合させることにより、図４に示す様に、ガラス板の室内側に着脱自在に固定されている。なお、上記実施の形態においては、合成樹脂板４として単板のポリカーボネート板を用いたが、図７に示す様なポリカーボネート製中空多層板を用いても良く、この場合には耐熱性は更に向上する。
【００１０】
この実施の形態は上記の通りの構成を有するものであり、合成樹脂板４は面ファスナー３によってガラス板２に着脱自在に固定されているのであり、ガラス板２表面の清掃作業の際などには、必要に応じて自由に取りはずすことが出来る。又、面ファスナー３は図６に示す様に植設されたフック６とループ７とを係合させるものであり、フック６及びループ７の毛足の長さＨに応じて係合した状態のままで横方向（図６における矢印Ｘ方向）に変位可能であるので、合成樹脂板４の熱膨張はこの面ファスナー３の横方向移動可能範囲内なら吸収され、合成樹脂板４が歪んだり、ガラス板２からはがれたりすることはない。なお、ガラス板２及び合成樹脂板４の面積が大きい程、合成樹脂板４の膨張による移動範囲は大きくなるが、面ファスナー３のフック６及びループ７の毛足の長さＨを長くすることにより、面ファスナー３の変位可能範囲を拡げ、合成樹脂板４の膨張に対処させることが出来る。
【００１１】
又、断熱性を確保する為には、ガラス板２と合成樹脂板４との間に一定の隙間が形成されていることが必要であるが、ガラス板２が大面積の場合には、図８及び図９に示す実施の形態の様に、ガラス板２と合成樹脂板４との間の適当箇所に面ファスナーからなるスペーサー５を介在させても良く、この場合には、合成樹脂板４が反ったり撓んでその一部がガラス板２に接触することを確実に防ぐことが出来る。
【００１２】
更に、合成樹脂板４は必ずしも同じものを通年使用する必要はなく、夏期の暑さ対策のときはブロンズやブルーなどの色付きのものを、冬期の寒さ対策のときは透明なものという様に、適宜選択的に使用しても良いことはもちろんである。
【００１３】
【発明の効果】
この発明に係る複合断熱ガラス窓は上述の通り、合成樹脂板を面ファスナーによってガラス板の室内側に着脱自在に固定しているので、面ファスナーの変位可能範囲内なら、合成樹脂板の膨張を吸収して、無理なくガラス板に保持し続けることが出来る効果を有する。又、面ファスナーは極めて軽量であると共に厚さも薄い為、厚さの薄い窓枠にも無理なく後付け固定することが出来、その作業には特に熟練や特殊技能は必要なく、専門業者でなくても一般人でも十分施工可能である。又、合成樹脂板、面ファスナーなどの材料はいずれも汎用品であり、どこでも調達可能であり、施工コストも極めて低いなどの効果を有し、高い実用的価値を有するものである。
【図面の簡単な説明】
【図１】この発明に係る複合断熱ガラス窓の一実施形態の正面図。
【図２】同じく、合成樹脂板４の一部を切欠いて描いた正面図。
【図３】同じく、合成樹脂板４の一部を切欠いて描いた斜視図。
【図４】図１における矢視Ａ−Ａ線断面図。
【図５】同じく、合成樹脂板４を取付ける前の状態の矢視Ａ−Ａ線断面図。
【図６】その要部である面ファスナー部分の拡大図。
【図７】ポリカーボネート製中空多層板を合成樹脂板４として用いた実施形態の斜視図。
【図８】スペーサー５を用いた実施形態の斜視図。
【図９】図８における矢視Ｂ−Ｂ線断面図。
【符号の説明】
１    窓枠
２    ガラス板
３    面ファスナー
４    合成樹脂板
５    スペーサー
６    フック
７    ループ
８    基部
【図１】
2004353245.tif 000003
【図２】
2004353245.tif 000004
【図３】
2004353245.tif 000005
【図４】
2004353245.tif 000006
【図５】
2004353245.tif 000007
【図６】
2004353245.tif 000008
【図７】
2004353245.tif 000009
【図８】
2004353245.tif 000010
【図９】
2004353245.tif 000011